(57)【特許請求の範囲】
【請求項１】
透孔と該透孔を側方に開口する切欠ぎとが形成された取付け板を被操作機器に固設するとともに、操作用ケーブルが内挿されたケーブルアウターの端部に設けられた調整おねじ部を上記取付け板の上記透孔に挿通し、該取付け板の両面を調整ナットで締付け固定する構造において、上記調整おねじ部に、上記取付け板の上記切欠ぎと上記調整ナットとが通過できる外径および上記取付け板の厚さと上記調整ナット１個分の厚さとの和以上の長さを有する小径部が形成されたことを特徴とする操作用ケーブル固定構造。
【請求項２】
上記ケーブルアウターの先端部を覆い、かつ上記操作用ケーブルを貫通させて、弾性材料より成るブーツが取付けられたことを特徴とする請求項１記載の操作用ケーブル固定構造。
【請求項３】
上記ブーツに上記調整ナットのねじ山に接するリップ部が形成されたことを特徴とする請求項２記載の操作用ケーブル固定構造。
【請求項４】
上記小径部の最先端と上記ブーツの後端との間の上記ケーブルアウターに、上記調整ナットが回転せずには通過できないストッパー部が形成されたことを特徴とする請求項２記載の操作用ケーブル固定構造。
【発明の詳細な説明】
【０００１】
【発明の属する技術分野】
本発明は、例えば気化器等を操作するケーブルを被操作機器たる気化器本体に固定する取付け構造に関する。
【０００２】
【従来の技術】
図５は実公昭６１−４１９６７号公報に示される従来の操作用ケーブルが気化器に取付けられた状態を示す側面図、図６はその要部の分解斜視図である。
【０００３】
図５および図６において、透孔02ａとこれを側方に開口する切欠ぎ02ｂとが形成された取付け板02を気化器01に固設し、操作用ケーブル03が内挿されたケーブルアウター04を、その端部の調整おねじ部04ａにおいて上記透孔02ａに挿通して、その両側を調整ナット05ａ，05ｂで締付け固定する。上記操作用ケーブル03の先端は気化器01のスロットルレバー07に連結されており、またケーブルアウター04の先端部にはブーツ06が設けられる。
【０００４】
上記調整おねじ部04ａの中央部には、外径が前記取付け板02の切欠ぎ02ｂの幅とほぼ同一で、長さが上記取付け板02の厚さとほぼ同一の小径部04ｂが形成され、調整おねじ部04ａはこの小径部04ｂにおいて切欠ぎ02ｂを介して透孔02ａ内に出入自在になっている。
【０００５】
ケーブルアウター04を取付け板02に取付けるには、調整ナット05ａ，05ｂをケーブルアウター04の小径部04ｂの両側でその小径部04ｂから多少離れた位置に配しておき、ケーブルアウター04を小径部04ｂにおいて切欠ぎ02ｂを介して透孔02ａに導入させ、次にこれを前後方向の所定位置まで移動させた後、両調整ナット05ａ，05ｂを回転させて取付け板02の両面を締付け固定する。これはその取外しに際してもほぼ同様である。
【０００６】
【解決しようとする課題】
前記従来の操作用ケーブル固定構造においては、ケーブルアウター04の小径部04ｂの長さが短いので、調整ナット05ａ，05ｂを両方とも両側の調整おねじ部04ａにねじ込んでおかないと、調整おねじ部04ａを切欠ぎ02ｂに通すことができず、操作用ケーブルの組付けに時間がかかっていた。
【０００７】
【課題を解決するための手段および効果】
前記従来の課題を解決するために、請求項１記載の発明は、透孔と該透孔を側方に開口する切欠ぎとが形成された取付け板を被操作機器に固設するとともに、操作用ケーブルが内挿されたケーブルアウターの端部に設けられた調整おねじ部を上記取付け板の上記透孔に挿通し、該取付け板の両面を調整ナットで締付け固定する構造において、上記調整おねじ部に、上記取付け板の上記切欠ぎと上記調整ナットとが通過できる外径および上記取付け板の厚さと上記調整ナット１個分の厚さとの和以上の長さを有する小径部が形成されたことを特徴とする操作用ケーブル固定構造である。
【０００８】
請求項１記載の発明は上記のとおり構成され、調整おねじ部に、取付け板の切欠ぎと調整ナットとが通過できる外径および上記取付け板の厚さと上記調整ナット１個分の厚さとの和以上の長さを有する小径部が形成されているので、調整ナットの一方と取付け板とを同時に小径部内に位置させることができる。したがって調整ナットの一方はあらかじめ調整おねじ部にねじ込んでおく必要はないので、組付け性が向上する。
【０００９】
また請求項２記載の発明は、前記請求項１記載の発明において、上記ケーブルアウターの先端部を覆い、かつ上記操作用ケーブルを貫通させて、弾性材料より成るブーツが取付けられたことを特徴とするものである。
【００１０】
したがって請求項２記載の発明においては、ケーブルアウター内部へのダスト侵入が防止されるとともに、小組みされた状態で調整ナットの脱落が防止される。
【００１１】
次に請求項３記載の発明は、前記請求項２記載の発明において、上記ブーツに上記調整ナットのねじ山に接するリップ部が形成されたことを特徴とするものである。
【００１２】
したがって請求項３記載の発明においては、小組状態の時、小径部にある調整ナットがケーブルアウター先端方向に動くと、ブーツに形成されたリップ部が調整ナットとケーブルアウターの間に喰込み、楔効果によって、調整ナットの抜け止め効果が更に高まる。
【００１３】
次に請求項４記載の発明は、前記請求項２記載の発明においては、上記小径部の最先端と上記ブーツの後端との間の上記ケーブルアウターに、上記調整ナットが回転せずには通過できないストッパー部が形成されたことを特徴とするものである。
【００１４】
したがって請求項４記載の発明においては、調整ナットとブーツとの間の隙間が確保され、小組状態の時に調整ナットがブーツに接触することはないから、組立時に調整ナットやブーツが脱落する恐れがない。
【００１５】
【発明の実施の形態】
図１は本発明の一実施例を示すもので、(ａ)は操作用ケーブルが取付けられた気化器の側面図、(ｂ)は(ａ)のＢ−Ｂ矢視断面図である。また図２はその取付け部を拡大して示すもので、(ａ)は取付け過程を示す図、(ｂ)は取付け完了状態を示す図である。
【００１６】
まず図１において、透孔２ａとその透孔２ａを側方に開口する切欠ぎ２ｂとが形成された取付け板２が被操作機器としての気化器１に固設されている。そして、操作用ケーブル３が内挿されたケーブルアウター４の端部に設けられた調整おねじ部４ａが、上記取付け板２の透孔２ａに挿通され、その取付け板２の両面が調整ナット５ａ，５ｂで締付け固定されている。
【００１７】
上記操作用ケーブル３の先端は気化器１のスロットルレバー７に連結されている。
【００１８】
次に図２に示されるように、ケーブルアウター４の調整おねじ部４ａに小径部４ｂが形成されている。この小径部４ｂの外径は、取付け板２の切欠ぎ２ｂを通過でき、また調整ナット５ｂが回転せずに通過できる寸法になっている。そして小径部４ｂの長さＬ１は、取付け板２の厚さｔ１と調整ナット５ｂの厚さｔ２との和以上の寸法になっている。
【００１９】
次に本実施例の操作用ケーブル３の取付け工程について説明する。
【００２０】
まず図２(ａ)に示されるように、操作用ケーブル３が内挿されたケーブルアウター４の調整おねじ部４ａの奥まで一方の調整ナット５ａをねじ込むとともに、他方の調整ナット５ｂを調整おねじ部４ａの先端４ｃからねじ込んで小径部４ｂまで到達させておく。この状態で調整ナット５ｂは小径部４ｂ内を自由に(つまり回転しなくても)動くことができる。
【００２１】
次に調整ナット５ｂを小径部４ｂ内のケーブルアウター４先端方向（図の右方）に寄せておいて、小径部４ｂの奥部（図の左部）を取付け板２の切欠ぎ２ｂから透孔２ａ内へ挿入する(図２(ａ))。
【００２２】
その後、図２(ｂ)に示されるように、ケーブルアウター４の調整おねじ部４ａを取付け板２の透孔２ａ内を所定位置まで移動させ、取付け板２の両面を調整ナット５ａ，５ｂで締付け固定する。
【００２３】
本実施例においては、ケーブルアウター４の小径部４ｂの外径が、取付け板２の切欠ぎ２ｂを通過でき、また調整ナット５ｂが回転せずに通過できる寸法になっている。そして小径部４ｂの長さＬ１は、取付け板２の厚さｔ１と調整ナット５ｂの厚さｔ２との和以上の寸法になっている。したがって、調整ナット５ｂと取付け板２とを同時に小径部４ｂ内に位置させることができる。その結果、調整ナット５ｂはあらかじめ調整おねじ部４ａの先端４ｃにねじ込んでおく必要はないので、組付け性が向上する。
【００２４】
次に図３は本発明の第２の実施例における操作用ケーブル取付け部を示す拡大図であって、(ａ)は取付け過程を示す図、(ｂ)は取付け完了状態を示す図である。
【００２５】
本実施例においても、操作用ケーブル３が内挿されたケーブルアウター24の端部に調整おねじ部24ａが設けられ、調整ナット５ａ，５ｂが螺合できるようになっている。また、その調整おねじ部14ａには小径部14ｂが形成されている。この小径部14ｂの外径は、取付け板２の切欠ぎ２ｂを通過でき、また調整ナット５ｂが回転せずに通過できる寸法になっている。
【００２６】
本実施例では、上記ケーブルアウター14の先端部を覆い、かつ操作用ケーブル３を貫通させて、弾性材料(例えばゴム)から成るブーツ16が取付けられている。そして上記小径部14ｂの長さＬ２は、取付け板２の厚さｔ１と調整ナット５ｂの厚さｔ２との和に、さらにそのブーツ16の嵌合部の長さｔ３を加えた以上の寸法になっている。
【００２７】
また、上記ブーツ16には、組付けの段階で調整ナット５ｂのねじ山に接触するリップ部16ａが形成されている。
【００２８】
操作用ケーブル３の取付けに際しては、まず図３(ａ)に示されるように、操作用ケーブル３が内挿されたケーブルアウター14の調整おねじ部14ａの奥まで一方の調整ナット５ａをねじ込むとともに、他方の調整ナット５ｂを調整おねじ部14ａの先端14ｃからねじ込んで小径部14ｂまで到達させておく。それからブーツ16を調整おねじ部14ａの先端14ｃに装着する。この状態では調整ナット５ｂは小径部14ｂ内を回転せずに移動することができる。
【００２９】
次に調整ナット５ｂを小径部14ｂ内のケーブルアウター14先端側に寄せておいて、小径部14ｂの奥部を取付け板２の切欠ぎ２ｂから透孔２ａ内へ挿入する(図３(ａ))。
【００３０】
その後、図３(ｂ)に示されるように、ケーブルアウター14の調整おねじ部14ａを取付け板２の透孔２ａ内の所定位置まで移動させ、取付け板２の両面を調整ナット５ａ，５ｂで締付け固定する。
【００３１】
本実施例においても、ケーブルアウター14の小径部14ｂの外径が、取付け板２の切欠ぎ２ｂを通過でき、また調整ナット５ｂが回転せずに通過できる寸法になっている。そして小径部14ｂの長さＬ１は、取付け板２の厚さｔ１と調整ナット５ｂの厚さｔ２との和に、さらにブーツ16の嵌合部の長さｔ３を加えた以上の寸法になっている。したがって、調整ナット５ｂと取付け板２とを同時に小径部14ｂ内に位置させることができる。その結果、調整ナット５ｂはあらかじめ調整おねじ部14ａの先端14ｃにねじ込んでおく必要はないので、組付け性が向上する。
【００３２】
本実施例ではまた、ケーブルアウター14の先端部を覆い、かつ操作用ケーブル３を貫通させて、弾性材料から成るブーツ16が取付けられているので、ケーブルアウター14内部へのダスト侵入が防止されるとともに、小組みされた状態で調整ナット５ａ，５ｂの脱落が防止される。
【００３３】
さらに本実施例では、上記ブーツ16に、組付けの段階で調整ナット５ｂのねじ山に接触するリップ部16ａが形成されているので、小組状態の時、小径部14ｂにある調整ナット５ｂがケーブルアウター14先端方向に動くと、ブーツ16に形成されたリップ部16ａが調整ナット５ｂとケーブルアウター14の間に喰込み、楔効果によって、調整ナット５ｂの抜け止め効果が更に高まる。
【００３４】
次に図４は本発明の第３の実施例における操作用ケーブル取付け部を示す拡大図であって、(ａ)は取付け過程を示す図、(ｂ)は取付け完了状態を示す図である。
【００３５】
本実施例においても、操作用ケーブル３が内挿されたケーブルアウター24の端部に調整おねじ部24ａが設けられ、調整ナット５ａ，５ｂが螺合できるようになっている。またケーブルアウター24の先端部を覆い、かつ上記操作用ケーブル３を貫通させて、弾性材料から成るブーツ26が取付けられる。
【００３６】
またケーブルアウター24の調整おねじ部24ａには小径部24ｂが形成される。この小径部24ｂの外径は、取付け板２の切欠ぎ２ｂを通過でき、また調整ナット５ｂが回転せずに通過できる寸法になっている。一方小径部24ｂの長さＬ３は、取付け板２の厚さｔ１と調整ナット５ｂの厚さｔ２との和以上の寸法になっている。
【００３７】
そして小径部24ｂの最先端とブーツ26の後端との間のケーブルアウター24には、調整ナット５ａ，５ｂが回転せずには通過できないストッパー部24ｃが形成されている。
【００３８】
操作用ケーブル３の取付けに際しては、まず図４(ａ)に示されるように、ケーブルアウター24の調整おねじ部24ａの奥まで一方の調整ナット５ａをねじ込むとともに、他方の調整ナット５ｂを調整おねじ部24ａの先端からねじ込んで小径部24ｂまで到達させておく。それからブーツ26を調整おねじ部24ａの先端に装着する。この状態では調整ナット５ｂが小径部24ｂ内を回転せずに移動することができる。
【００３９】
次に調整ナット５ｂを小径部24ｂ内のケーブルアウター24先端側に寄せておいて、小径部24ｂの奥部を取付け板２の切欠ぎ２ｂから透孔２ａ内へ挿入する(図４(ａ))。
【００４０】
その後、図４(ｂ)に示されるように、ケーブルアウター24の調整おねじ部24ａを取付け板２の透孔２ａ内を所定の位置まで移動させ、取付け板２の両面を調整ナット５ａ，５ｂで締付け固定する。
【００４１】
本実施例においても、ケーブルアウター24の小径部24ｂの外径は、取付け板２の切欠ぎ２ｂを通過でき、また調整ナット５ｂが回転せずに通過できる寸法になっている。一方小径部24ｂの長さＬ２は、取付け板２の厚さｔ１と調整ナット５ｂの厚さｔ２との和以上の寸法になっている。したがって調整ナット５ｂと取付け板２とを同時に小径部24ｂ内に位置させることができる。その結果、調整ナット５ｂはあらかじめ調整おねじ部の先端24ｃにねじ込んでおく必要はないので、組付け性が向上する。
【００４２】
また、ケーブルアウター24の先端部を覆い、かつ上記操作用ケーブル３を貫通させて、弾性材料から成るブーツ26が取付けられるので、ケーブルアウター24内部へのダスト侵入が防止されるとともに、小組みされた状態で調整ナット５ａ，５ｂの脱落が防止される。
【００４３】
さらに本実施例では、小径部24ｂの最先端とブーツ26の後端との間のケーブルアウター24に、調整ナット５ａ、５ｂが回転せずには通過できないストッパー部24ｃが形成されているので、調整ナット５ｂとブーツ26との間の隙間が確保され、小組状態の時に調整ナット５ｂがブーツ26に接触することはないから、組立時に調整ナット５ｂやブーツ26が脱落する恐れがない。
【図面の簡単な説明】
【図１】図１は本発明の一実施例を示すもので、(ａ)は操作用ケーブルが取付けられた気化器の側面図、(ｂ)は(ａ)のＢ−Ｂ矢視断面図である。
【図２】図２は図１の操作用ケーブル取付け部の詳細図であって、(ａ)は取付け過程を示す図、(ｂ)は取付け完了状態を示す図である。
【図３】図３は本発明の第２の実施例における操作用ケーブル取付け部の詳細図であって、(ａ)は取付け過程を示す図、(ｂ)は取付け完了状態を示す図である。
【図４】図４は本発明の第３の実施例における操作用ケーブル取付け部の詳細図であって、(ａ)は取付け過程を示す図、(ｂ)は取付け完了状態を示す図である。
【図５】図５は従来の操作用ケーブルが気化器に取付けられた状態を示す側面図である。
【図６】図６は図５の要部分解斜視図である。
【符号の説明】
１…気化器、２…取付け板、２ａ…透孔、２ｂ…切欠ぎ、３…操作用ケーブル、４…ケーブルアウター、４ａ…調整おねじ部、４ｂ…小径部、５ａ，５ｂ…調整ナット、７…スロットルレバー、14…ケーブルアウター、14ａ…調整おねじ部、14ｂ…小径部、16…ブーツ、16ａ…リップ部、24…ケーブルアウター、24ａ…調整おねじ部、24ｂ…小径部、24ｃ…ストッパー部、26…ブーツ。
【図１】
0003960838.tif 000002
【図２】
0003960838.tif 000003
【図３】
0003960838.tif 000004
【図４】
0003960838.tif 000005
【図５】
0003960838.tif 000006
【図６】
0003960838.tif 000007